(57)【要約】【課題】実装上の条件に拘らず、外部出力端子を設けることなく組み立て状態のまま内部に設けられた電子回路の動作状態を測定できる電子機器及び動作状態測定システムを提供する。【解決手段】内部に設けられた電子回路１８に駆動用の電力を供給するための電池１４と前記電子回路１８とを電気的に接続するための電池コネクタ１２と、電池コネクタ１２に設けられると共に電池１４から電子回路１８に駆動用の電力を供給するための電力供給用接点２２と、を備えると共に、電子回路１８の動作状態を示す動作信号が流れる信号線と電気的に接続された測定用接点２６を電池コネクタ１２に設ける。【選択図】  図１
2004347462.tif 000002
【特許請求の範囲】
【請求項１】
内部に設けられた電子回路に駆動用の電力を供給するための電池と前記電子回路とを電気的に接続するための電池コネクタと、
前記電池コネクタに設けられると共に前記電池から前記電子回路に駆動用の電力を供給するための電力供給用接点と、
を備えた電子機器であって、
前記電子回路の動作状態を示す動作信号が流れる信号線と電気的に接続された測定用接点を前記電池コネクタに設けた
ことを特徴とする電子機器。
【請求項２】
前記電池コネクタに前記電子回路の動作を指示するための動作指示信号が流れる信号線と電気的に接続されると共に前記動作指示信号を入力するための指示用接点を更に設けた
ことを特徴とする請求項１記載の電子機器。
【請求項３】
請求項１又は請求項２に記載の電子機器と、
前記電子機器の前記電池コネクタに接続される測定治具であって、前記電池コネクタに接続された状態で前記測定用接点に接する信号入力用接点を備えた測定治具と、
前記測定治具の前記信号入力用接点を介して前記電子機器から入力された前記動作信号を取得する取得手段を備えた測定装置と、
を含む動作状態測定システム。
【請求項４】
前記測定治具を、前記電子機器の前記電池コネクタに接続される電池と略同形状とした
請求項３記載の動作状態測定システム。
【請求項５】
前記測定治具に、前記電池コネクタに接続された状態で前記電力供給用接点に接する電力出力用接点を更に備え、
前記電力出力用接点に電気的に接続されると共に前記電子回路に駆動用の電力を供給する電力供給手段を前記測定装置又は前記測定治具に設けた
請求項３又は請求項４記載の動作状態測定システム。
【発明の詳細な説明】
【０００１】
【発明の属する技術分野】
本発明は、内部に設けられた電子回路の動作状態を測定可能な電子機器及び動作状態測定システムに関する。
【０００２】
【従来の技術】
電池で作動するデジタルカメラ、携帯電話機、ＰＤＡ（携帯情報端末）等の電子機器においては、従来、組み立て後に内部に設けられた電子回路の動作状態の測定、検査、調整等を行うために、当該動作状態を示す信号を外部に出力するための外部出力端子等が設けられていた。
【０００３】
しかしながら、近年、電子機器を廉価、かつ省スペースなものとして提供するために、このような出力端子を含まない構成とされた電子機器も普及している。
【０００４】
このような電子機器においては、組み立て後に上記動作状態の測定、検査、調整等を行う場合、一度分解してから電子回路基板に形成された電子回路における動作状態を測定しようとするテストポイントに測定プローブをあてがい、当該測定プローブを介して動作状態を示す信号を取得する必要があった。
【０００５】
しかしながら、電子機器を分解した状態と組み立てた状態とでは測定、検査、調整等の条件が異なり、測定、検査、調整等が正確に行なえない場合がある。また、分解及び組み立てによるキズの発生や異物の混入等の弊害が起こる可能性もある。
【０００６】
従来、このような電子機器において組み立て後に各種測定、検査、調整等を正確かつ弊害を生じることなく行うことを目的として、電子回路基板に形成された電子回路の所定箇所に当該電子回路の特性を測定しようとするテストポイントを形成すると共に、電子機器のキャビネットの一部として形成されている電池収納部の内部に測定プローブの先端部を挿入できる大きさの貫通孔を形成し、上記電子回路基板を、テストポイントが貫通孔に臨むように電池収納部の内部に装着して外部測定端子を構成した技術があった（例えば、特許文献１参照。）。
【０００７】
【特許文献１】
特開平９−１２７１７３号公報
【０００８】
【発明が解決しようとする課題】
しかしながら、上記従来の技術では、実装上の条件により、上記貫通孔に対応する位置に上記テストポイントを配置することが不可能な構成の電子機器に対しては無力である、という問題点があった。
【０００９】
本発明は上記問題点を解決するためになされたものであり、実装上の条件に拘らず、外部出力端子を設けることなく組み立て状態のまま内部に設けられた電子回路の動作状態を測定できる電子機器及び動作状態測定システムを提供することを目的とする。
【００１０】
【課題を解決するための手段】
上記目的を達成するために、請求項１記載の電子機器は、内部に設けられた電子回路に駆動用の電力を供給するための電池と前記電子回路とを電気的に接続するための電池コネクタと、前記電池コネクタに設けられると共に前記電池から前記電子回路に駆動用の電力を供給するための電力供給用接点と、を備えた電子機器であって、前記電子回路の動作状態を示す動作信号が流れる信号線と電気的に接続された測定用接点を前記電池コネクタに設けている。
【００１１】
請求項１に記載の電子機器によれば、内部に設けられた電子回路に駆動用の電力を供給するための電池と前記電子回路とが電池コネクタにより電気的に接続され、電池コネクタに設けられた電力供給用接点を介して前記電池から前記電子回路に駆動用の電力が供給される。
【００１２】
これにより、電子機器を電池の電力で駆動させることができ、商用電力の供給口（所謂、コンセント）のない屋外等のモバイル環境下においても当該電子機器を使用することができる。
【００１３】
なお、上記電池には、ニッケル・カドミウム電池、ニッケル水素電池等の充電可能な二次電池の他、マンガン電池、アルカリ電池等の充電できない一次電池も含まれる。
【００１４】
ここで、本発明では、前記電子回路の動作状態を示す動作信号が流れる信号線と電気的に接続された測定用接点が前記電池コネクタに設けられている。
【００１５】
すなわち、本発明では、内部に設けられた電子回路の動作状態を示す動作信号が流れる信号線と電気的に接続された測定用接点を、当該電子回路に駆動用の電力を供給するための電池が接続される電池コネクタに設けることにより、当該電池コネクタを電力供給用と動作信号の外部への出力用とに共用するようにしており、これによって電子回路基板の実装上の条件に拘わらず、上記動作信号を外部に出力するための外部出力端子等の特別な部材を新たに設けることなく、組み立て状態のまま電子回路の動作状態を測定することを可能としている。
【００１６】
このように、請求項１に記載の電子機器によれば、内部に設けられた電子回路に駆動用の電力を供給するための電池と前記電子回路とを電気的に接続するための電池コネクタと、前記電池コネクタに設けられると共に前記電池から前記電子回路に駆動用の電力を供給するための電力供給用接点と、を備えると共に、前記電子回路の動作状態を示す動作信号が流れる信号線と電気的に接続された測定用接点を前記電池コネクタに設けているので、実装上の条件に拘らず、外部出力端子を設けることなく組み立て状態のまま内部に設けられた電子回路の動作状態を測定できる。
【００１７】
また、本発明では、ユーザが直接使用することがない測定用接点を、通常はユーザに触れられることがない既存の電池コネクタに設けているので、電子機器の外装設計等が容易になる。
【００１８】
ところで、電子回路の動作状態を測定する場合、当該電子回路に対して所定の動作が実行された状態で当該電子回路の動作状態を示す動作信号を測定することになるが、このとき、上記所定の動作を指示するための信号を外部から電子回路に与えることを可能とすることにより、複数種類の動作状態を測定することが可能となる。
【００１９】
なお、上記所定の動作としては、特定の動作モード実行時の動作や、予め当該電子回路のメモリ等に記憶された動作状態測定用のプログラムの実行時の動作等が挙げられる。
【００２０】
そこで、請求項１に記載の電子機器は、請求項２に記載の発明のように、前記電池コネクタに前記電子回路の動作を指示するための動作指示信号が流れる信号線と電気的に接続されると共に前記動作指示信号を入力するための指示用接点を更に設けることが好ましい。
【００２１】
これにより、実装上の条件に拘らず、外部出力端子を設けることなく組み立て状態のまま内部に設けられた電子回路の複数種類の動作状態を測定できる。
【００２２】
一方、上記目的を達成するために、請求項３に記載の動作状態測定システムは、請求項１又は請求項２に記載の電子機器と、前記電子機器の前記電池コネクタに接続される測定治具であって、前記電池コネクタに接続された状態で前記測定用接点に接する信号入力用接点を備えた測定治具と、前記測定治具の前記信号入力用接点を介して前記電子機器から入力された前記動作信号を取得する取得手段を備えた測定装置と、を含んで構成されている。
【００２３】
請求項３に記載の動作状態測定システムによれば、本発明に係る電子機器の電池コネクタに対して測定治具が接続されることにより、当該測定治具に備えられた信号入力用接点が上記電池コネクタに設けられた測定用接点に接される。そして、測定装置により、取得手段によって上記測定治具の信号入力用端子を介して電子機器から入力された動作信号が取得される。
【００２４】
このように、請求項３に記載の動作状態測定システムによれば、本発明の電子機器と、当該電子機器の電池コネクタに接続された状態で当該電池コネクタに設けられた測定用接点に接する信号入力用接点を備えた測定治具と、当該測定治具の信号入力用接点を介して上記電子機器から入力された動作信号を取得する測定装置と、を備えているので、電子機器における実装上の条件に拘らず、電子機器に外部出力端子を設けることなく組み立て状態のまま、電子機器の内部に設けられた電子回路の動作状態を測定できる。
【００２５】
なお、請求項３に記載の動作状態測定システムは、請求項４に記載の発明のように、前記測定治具を、前記電子機器の前記電池コネクタに接続される電池と略同形状とすることが好ましい。
【００２６】
すなわち、一般に、電池を用いて駆動する電子機器は、当該電子機器に装着される電池が常に電池コネクタに接続された状態を維持できるように構成されているため、測定治具を電池と略同形状とすることで測定治具と電池コネクタとの間の接続された状態を維持でき、測定中に測定治具が電池コネクタから外れてしまうといった不具合の発生を防止することができる。
【００２７】
ところで、本発明では、動作状態の測定の際には電池コネクタに測定治具が接続されるため、電池コネクタに通常の駆動用の電池を装着できない場合がある。この場合、当該電池以外の電力源から電力を供給して電子機器を駆動させる必要がある。
【００２８】
そこで、請求項５に記載の動作状態測定システムは、請求項３又は請求項４に記載の発明において、前記測定治具に、前記電池コネクタに接続された状態で前記電力供給用接点に接する電力出力用接点を更に備え、前記電力出力用接点に電気的に接続されると共に前記電子回路に駆動用の電力を供給する電力供給手段を前記測定装置又は前記測定治具に設けている。
【００２９】
これにより、電子機器の電池コネクタに測定治具を接続するだけで、簡易に電子回路の動作状態の測定を行うことができる。なお、本発明は、請求項４に記載の発明のように、測定治具を電池と略同形状とした場合に特に有効である。
【００３０】
【発明の実施の形態】
以下、図面を参照して、本発明の実施の形態について詳細に説明する。
【００３１】
（第１の実施形態）
まず、図１を参照して、本実施の形態に係る電子機器１０の構成を説明する。図１（Ａ）に示すように、電子機器１０は、電子機器１０を動作させるための電子回路１８が表面に実装された基板２０と、当該基板２０の一端部近傍に略垂直に立設され、かつ電子回路１８における所定の信号線と電気的に接続された各種接点が設けられた電池コネクタ１２と、を含んで構成されている。
【００３２】
なお、ここでは、錯綜を回避するために、基板２０の表面に実装された電子回路１８を構成する電子部品の図示及び説明を省略する。
【００３３】
電子機器１０は、電子回路１８等の精密部位がユーザによって直接触れられることがないように、ケーシング１６（一部のみ図示、詳細は図示省略。）に覆われた状態で構成されている。
【００３４】
また、ケーシング１６には、電子回路１８に駆動用の電力を供給するための電池１４（本実施の形態では、リチウム・イオン電池）が装着される凹形状とされた電池装着部１３が形成されている。そして、電池装着部１３の凹部底面における端部近傍には、基板２０をケーシング１６に収容した状態で当該凹部に電池コネクタ１２の各種接点が設けられている部位を突出させる開口部１６Ａが設けられている。
【００３５】
また、電池装着部１３は、その凹部が電池１４と略同形状同寸法とされており、これによって、電池装着部１３に装着された電池１４が常に電池コネクタ１２に接続された状態を維持できるようにしている。
【００３６】
一方、図１（Ｂ）に示すように、電池コネクタ１２には、３つの電力供給用接点２２及び４つの測定用接点２６が設けられている。
【００３７】
電力供給用接点２２は、電池１４が電池装着部１３に装着された状態で電池１４に設けられている正極、負極及び温度検出用端子の３つの端子２４に対応する位置にそれぞれ設けられると共に電子回路１８の電源部に接続されており、電池１４の端子２４と接触することで電池１４から電子回路１８に駆動用の電力が供給可能となる。
【００３８】
なお、本実施の形態に係る電力供給用接点２２は、電池１４の端子２４が電力供給用接点２２に接している状態を維持するために板ばねにより構成されており、電池１４と略同形状同寸法とされた電池装着部１３の凹部における当該板ばねに対向する壁面に電池１４を押しつけて固定する。
【００３９】
また、測定用接点２６は、電池コネクタ１２の電池１４に対向する位置であって、かつ電力供給用接点２２と端子２４との接続を妨げない位置に設けられると共に、電子回路１８の動作状態を示す動作信号が流れる信号線と電気的に接続されており、当該測定用接点２６に測定プローブ等の接点が接触されることにより上記動作信号を外部に出力することができる。
【００４０】
なお、４箇所に設けられた各測定用接点２６は、電子回路１８のそれぞれ異なる信号線と接続されており、電子機器１０は、電池コネクタ１２を介して動作状態を示す４種類の動作信号が出力可能となっている。
【００４１】
一方、図２（Ａ）には、電子回路１８の動作状態を測定する際に電池コネクタ１２に接続される測定治具３０が示されている。同図に示されるように、測定治具３０の電池コネクタ１２に接続される面には、突設された４つの信号入力用接点３２と、３つの電力出力用接点３４と、が設けられている。
【００４２】
また、測定治具３０は、その形状及び寸法が電子機器１０に装着される電池１４と略同形状同寸法とされており、当該測定治具３０が電池装着部１３に装着されると、図４に示すように、信号入力用接点３２は電池コネクタ１２に設けられた上記４箇所の測定用接点２６に、電力出力用接点３４は電池コネクタ１２に設けられた上記３箇所の電力供給用接点２２に、それぞれ接した状態が維持される。すなわち、信号入力用接点３２及び電力出力用接点３４は、測定治具３０が電池装着部１３に装着された状態で、電池コネクタ１２の測定用接点２６及び電力供給用接点２２に、各々１対１で接触する位置に配設されている。
【００４３】
また、図２（Ｂ）に示されるように、信号入力用接点３２及び電力出力用接点３４は、それぞれケーブル３８を介してコネクタ３６に電気的に接続されている。
【００４４】
一方、図２（Ｂ）に示すように、本実施の形態に係る測定装置４０には、測定治具３０と測定装置４０とを電気的に接続するためのコネクタ４２と、電源部４４と、信号処理部４６と、が備えられている。
【００４５】
コネクタ４２は、測定治具３０のコネクタ３６に電気的かつ機械的に接続可能な仕様のものとされており、当該コネクタ３６と接続された状態で、電力出力用接点３４を電源部４４と電気的に接続して、当該電源部４４から電力出力用接点３４に電力を供給可能にすると共に、信号入力用接点３２を信号処理部４６と電気的に接続して、当該信号入力用接点３２に入力された信号（本実施の形態では、動作信号）を信号処理部４６に出力可能とする役割を有する。
【００４６】
なお、信号処理部４６では、測定装置４０に備えられた不図示のディスプレイ等に、コネクタ４２を介して取得された動作信号を所定のグラフやタイムチャートとして表示する処理等が行なわれる。
【００４７】
図３は、電子回路１８の動作状態を測定する際の手順を示すフローチャートであり、以下、同図を参照して、本実施の形態に係る動作状態測定システムによる電子回路１８の動作状態の測定手順について説明する。
【００４８】
まず、測定治具３０のコネクタ３６を測定装置４０のコネクタ４２に接続することにより測定治具３０を測定装置４０に接続し（ステップ１００）、次に、測定治具３０を電子機器１０の電池装着部１３に装着する（ステップ１０２）。
【００４９】
これにより、図４に示されるように、測定治具３０と測定装置４０とが接続されると共に測定治具３０が電池装着部１３に装着され、電子機器１０の動作状態を測定装置４０により測定可能な状態とされる。
【００５０】
具体的には、測定装置４０の電源部４４からコネクタ４２、コネクタ３６、ケーブル３８、電力出力用接点３４、及び電力供給用接点２２を順に介して電子回路１８に電力供給が可能となり、電子回路１８における動作信号が電子機器１０の測定用接点２６及び測定治具３０の信号入力用接点３２を順に介して測定装置４０の信号処理部４６に入力可能となる。
【００５１】
次に、電子機器１０に設けられた不図示の操作部等を操作することにより電子機器１０の電源を投入し（ステップ１０４）、電子機器１０に所定の動作モードでの動作指示を入力する（ステップ１０６）。これにより、電子機器１０は所定の動作モードで動作し、そのときの電子回路１８の動作状態を示す動作信号が測定治具３０を介して測定装置４０の信号処理部４６に出力される。
【００５２】
その後、測定装置４０に設けられた不図示のディスプレイ等による表示内容等により当該動作状態を確認する（ステップ１０８）。
【００５３】
このようにして、電子回路１８の動作状態を確認することができ、当該動作状態を確認しながら必要に応じて操作や調節を施すことにより、電子機器１０の調整、検査が可能となる。
【００５４】
以上詳細に説明したように、本実施の形態に係る電子機器１０は、内部に設けられた電子回路１８に駆動用の電力を供給するための電池１４と前記電子回路１８とを電気的に接続するための電池コネクタ１２と、電池コネクタ１２に設けられると共に電池１４から電子回路１８に駆動用の電力を供給するための電力供給用接点２２と、を備えると共に、電子回路１８の動作状態を示す動作信号が流れる信号線と電気的に接続された測定用接点２６を電池コネクタ１２に設けているので、電子回路１８の実装上の条件に拘らず、新たに外部出力端子を設けることなく組み立て状態のまま内部に設けられた電子回路１８の動作状態を測定できる。
【００５５】
また、本実施の形態に係る動作状態測定システムは、上記のような電子機器１０と、当該電子機器１０の電池コネクタ１２に接続された状態で電池コネクタ１２に設けられた測定用接点２６に接する信号入力用接点３２を備えた測定治具３０と、当該測定治具３０の信号入力用接点３２を介して電子機器１０から入力された動作信号を取得する測定装置４０と、を備えているので、電子機器１０における実装上の条件に拘らず、電子機器１０に外部出力端子を設けることなく組み立て状態のまま、電子機器１０の内部に設けられた電子回路１８の動作状態を測定できる。
【００５６】
また、本実施の形態に係る動作状態測定システムは、測定治具３０を、電子機器１０の電池コネクタ１２に接続される電池１４と略同形状としているので、測定治具３０と電池コネクタ１２との間の接続状態を維持でき、測定中に測定治具３０が電池コネクタ１２から外れてしまうといった不具合の発生を防止することができる。
【００５７】
更に、本実施の形態に係る動作状態測定システムは、測定治具３０の電力出力用接点３２に電気的に接続されると共に電子回路１８に駆動用の電力を供給する電源部４４を測定装置４０に設けているので、電子機器１０の電池コネクタ１２に測定治具３０を接続するだけで、簡易に電子回路１８の動作状態の測定を行うことができる。
【００５８】
（第２の実施形態）
上記第１の実施形態では、測定治具３０及び測定装置４０を電子機器１０に接続した後の電子機器１０に対する指示入力を作業者が当該電子機器１０に対して直接行なう場合の形態について説明したが、本第２の実施形態では、測定治具３０を介して測定装置４０から電子機器１０に対する指示入力を行なう場合の形態について説明する。
【００５９】
なお、本第２の実施形態に係る動作状態測定システムの構成は、上記第１の実施形態に係る動作状態測定システムに比較して、電子機器１０における電池コネクタ１２に設けられている測定用接点２６の一部が、電子回路１８の動作を指示するための動作指示信号が外部より入力される指示用接点とされている点と、これに対応して測定治具３０に設けられている信号入力用接点３２の一部が、上記動作指示信号を電子機器１０に出力するための指示出力用接点とされている点のみが異なっている。
【００６０】
すなわち、図５（Ａ）に示されるように、本実施の形態に係る電池コネクタ５２（第１の実施形態に係る電池コネクタ１２に相当）は、電池１４の３つの端子２４にそれぞれ対応する３つの電力供給用接点２２が設けられると共に、電力供給用接点２２と端子２４との接続を妨げない位置に、本発明に係る測定用接点２６及び指示用接点５８が設けられている。
【００６１】
測定用接点２６は２箇所に設けられ、電子回路１８の動作状態を示す動作信号が流れる２つの信号線にそれぞれ接続されている。また、指示用接点５８は、電子回路１８の動作を指示するための動作指示信号が流れる信号線に接続されており、当該指示用接点５８を介して外部から動作指示信号の入力が可能とされている。
【００６２】
一方、図５（Ｂ）に示されるように、本実施の形態に係る測定治具６０は、電力出力用接点３４と、信号入力用接点３２と、指示出力用接点６８が備えられている。ここで、信号入力用接点３２及び電力出力用接点３４は、測定治具５２が電池装着部１３に装着された状態で、電池コネクタ１２の測定用接点２６及び電力供給用接点２２に、各々１対１で接触する位置に配設されている。また、この状態で信号出力用接点６８は、電池コネクタ１２の指示用接点５８に１対１で接触する位置に配設されている。
【００６３】
そして、本実施の形態に係る動作状態測定システムでも、上記第１の実施形態に係る動作状態測定システムと同様に、測定治具６０と測定装置４０とが接続され、かつ測定治具６０が電子機器１０の電池装着部１３に装着された状態で、電子機器１０の動作状態が測定される。
【００６４】
具体的には、測定装置４０の電源部４４からコネクタ４２、コネクタ３６、ケーブル３８、電力出力用接点３４、及び電力供給用接点２２を順に介して電子回路１８に電力供給が可能となり、電子回路１８における動作信号が電子機器１０の測定用接点２６及び測定治具６０の信号入力用接点３２を順に介して測定装置４０の信号処理部４６に入力可能となる。
【００６５】
また、本実施の形態に係る動作状態測定システムでは、測定装置４０の信号処理部４６で電子機器１０の所定の動作モードでの動作を指示する動作指示信号が生成可能になっており、指示出力用接点６８及び指示用接点５８を介して電子回路１８に動作指示を入力することが可能となっている。
【００６６】
なお、本実施の形態では、上記動作モードとして、各々異なる動作を実行する複数のモードが用意されており、上記動作指示信号は、各動作モードのうちの何れか１つを指示する信号として適用されている。
【００６７】
そして、指示用接点５８から動作指示信号が入力されると、電子機器１０は、当該動作指示信号により実行が指示された動作モードでの動作を開始する。これにより、当該動作モードでの電子回路１８の動作状態を示す動作信号の測定治具６０を介した測定装置４０の信号処理部４６への出力が開始され、測定装置４０に設けられたディスプレイ等に測定結果が表示されることにより、動作状態が確認できる。
【００６８】
以上詳細に説明したように、本実施の形態に係る電子機器１０は、上記第１の実施形態に係る電子機器と同様の効果を奏することができると共に、電池コネクタ１２に電子回路１８の動作を指示するための動作指示信号が流れる信号線と電気的に接続されると共に当該動作指示信号を入力するための指示用接点５８を更に設けているので、実装上の条件に拘らず、外部出力端子を設けることなく組み立て状態のまま内部に設けられた電子回路の複数種類の動作状態を測定できる。
【００６９】
なお、本実施の形態では、指示用接点５８は動作指示信号が入力され、調整等はユーザが直接電子機器１０に対して行なう場合について説明したが、２つの指示用接点５８のうち、一方を電子回路１８の動作を指示する信号線に、他方を電子回路１８の所定箇所を調整するための信号線に各々接続して、電子機器１０に動作指示信号及び電子回路１８の所定箇所を調整するための信号を入力可能に構成してもよい。この場合、測定装置４０を操作するだけで電子機器１０を分解したり直接操作することなく測定、調整等が可能になる。
【００７０】
また、上記各実施の形態に係る電子機器、測定治具及び測定装置の構成は一例であり、本発明の主旨を逸脱しない範囲内において適宜変更可能であることは言うまでもない。
【００７１】
例えば、上記各実施の形態では、電子機器１０の動作状態の測定時に当該電子機器１０に駆動用の電力を供給する電源部を測定装置４０に設けた場合について説明したが、当該電源部を測定治具３０（６０）に設ける形態とすることもできる。この場合、測定装置４０の構成を上記各実施の形態に比較して簡略化できる。
【００７２】
【発明の効果】
以上説明したように、本発明に係る電子機器は、内部に設けられた電子回路に駆動用の電力を供給するための電池と前記電子回路とを電気的に接続するための電池コネクタと、前記電池コネクタに設けられると共に前記電池から前記電子回路に駆動用の電力を供給するための電力供給用接点と、を備えると共に、前記電子回路の動作状態を示す動作信号が流れる信号線と電気的に接続された測定用接点を前記電池コネクタに設けているので、実装上の条件に拘らず、外部出力端子を設けることなく組み立て状態のまま内部に設けられた電子回路の動作状態を測定できる、という優れた効果を有する。
【００７３】
また、本発明に係る動作状態測定システムは、本発明の電子機器と、当該電子機器の電池コネクタに接続された状態で当該電池コネクタに設けられた測定用接点に接する信号入力用接点を備えた測定治具と、当該測定治具の信号入力用接点を介して上記電子機器から入力された動作信号を取得する測定装置と、を備えているので、電子機器における実装上の条件に拘らず、電子機器に外部出力端子を設けることなく組み立て状態のまま、電子機器の内部に設けられた電子回路の動作状態を測定できる、という優れた効果を有する。
【図面の簡単な説明】
【図１】（Ａ）は第１の実施形態に係る電子機器及び電池コネクタの構成を示す側面図であり、（Ｂ）は該電池コネクタの構成を示す正面図である。
【図２】（Ａ）は第１の実施形態に係る測定治具の構成を示す正面図であり、（Ｂ）は該測定治具及び測定装置の構成を示す平面図（一部ブロック図）である。
【図３】第１の実施形態に係る電子機器の動作状態測定の手順を示すフローチャートである。
【図４】電池コネクタに対して測定装置に接続された測定治具が装着された状態の構成、すなわち、実施の形態に係る動作状態測定システムの構成を示す側面図である。
【図５】（Ａ）は第２の実施形態に係る電池コネクタの構成を示す正面図であり、（Ｂ）は第２の実施形態に係る測定治具の構成を示す正面図である。
【符号の説明】
１０    電子機器
１２、５２    電池コネクタ
１４    電池
１８    電子回路
２２、５２    電力供給用接点
２６    測定用接点
３０、６０    測定治具
３２    信号入力用接点
３４    電力出力用接点
４０    測定装置
４２    コネクタ（取得手段）
４４    電源部（電力供給手段）
５８    指示用接点
６８    指示出力用接点
【図１】
2004347462.tif 000003
【図２】
2004347462.tif 000004
【図３】
2004347462.tif 000005
【図４】
2004347462.tif 000006
【図５】
2004347462.tif 000007